(57)【特許請求の範囲】
【請求項１】
幹線の途中から該幹線に対し略直角方向に支線を分岐させることで略Ｔ字状に分岐する分岐部の電線束を保持するための電線受部と、該電線受部をワイヤハーネスの組立作業台上に立設するための支柱とからなる分岐用電線保持具であって、
前記電線受部は分岐点における前記支線の両側にそれぞれ配置した支線側腕部と、幹線を挟んで前記支線側腕部に対向して配置した幹線側腕部とを備え、該幹線側腕部と前記各支線側腕部との間の隙間部分を分岐部における幹線支持部とすると共に前記支線腕部間の隙間部分を支線支持部とし、前記幹線側腕部には幹線支持部に支持される幹線の側面に固定すべきクリップを嵌合保持可能なクリップ保持部を設け、該クリップ保持部から前記各支線側腕部の内面にわたって結束バンドをＵ字状に屈曲しながら案内する案内溝をそれぞれ形成し、該案内溝は前記幹線支持部に支持される幹線の電線束に干渉しないように幹線の下方を通過すると共に、前記クリッブ部に保持すべきクリップの挿通孔を通過する案内軌道に沿って形成していることを特徴とする分岐用電線保持具。
【請求項２】
前記クリップ保持部は前記幹線支持部に支持される幹線の取り出し方向に対応する方向に沿ってクリップを着脱可能に案内するガイド部を備えている請求項１に記載の分岐用電線保持具。
【請求項３】
前記クリップ保持部は前記幹線支持部に支持される幹線に対し前記クリップを所定位置に固定するためにクリップにおける皿部の両側部および下部の位置を規制する位置決め部を備えている請求項１または請求項２に記載の分岐用電線保持具。
【請求項４】
前記請求項１乃至請求項３のいずれかに記載の分岐用電線保持具を用いた分岐部を有するワイヤハーネスの製造方法であって、
前記クリップ保持部にクリップを嵌合保持した後、前記電線受部の幹線支持部に沿って電線を布線すると共に、布線される電線の一部を支線支持部側へ分岐させるようにして略Ｔ字状の分岐部を構成し、
次いで、クリップ保持部に保持されたクリップの挿通孔に結束バンドの先端側を挿入すると共に、前記案内溝に沿って一方の支線側腕部へ向けて順次挿入し、該支線側腕部から突出した結束バンドの先端部を基端部の係止部に挿通して締め付け、同様に他の結束バンドを前記クリップの挿通孔から他方の支線側腕部へ向けて順次挿入し、該支線側腕部から突出した結束バンドの先端部を基端部の係止部に挿通して締め付けることで略Ｔ字状の分岐部における幹線に対し各結束バンドを前記クリップに向けて略Ｖ字状に締め付け固定すると共に、前記幹線の側面部に前記クリップを固定するようにしたことを特徴とする分岐部を有するワイヤハーネスの製造方法。
【発明の詳細な説明】
【技術分野】
【０００１】
本発明は、分岐用電線保持具および分岐部を有するワイヤハーネスの製造方法に関し、詳しくは、略Ｔ字状に分岐するワイヤハーネスの分岐部に対し、簡易な操作によりクリップと共に結束バンドを締め付け固定可能とするものである。
【背景技術】
【０００２】
従来、自動車に配索されるワイヤハーネスには幹線から支線が分岐している箇所が多数存在し、この分岐位置がずれないように電線群にテープを巻き付けて結束している。この分岐部の結束は、ワイヤハーネス組立作業台に立設した電線保持具に電線束を布線した状態で行っている。これら電線束を結束する粘着テープは、幹線から支線が分岐する位置では、電線保持具の支持棒の間に電線束が保持されている状態では支持棒が邪魔となって粘着テープを電線束に巻き付けることができない。
そのため、電線保持具を下降させて電線束を電線保持具から外した状態で粘着テープを巻き付けている。このように、分岐部における粘着テープの巻き付け作業は熟練を要し、作業者の熟練度合いによって結束状態にバラツキが発生しやすく、かつ、ワイヤハーネスには分岐位置が多いために作業時間がかかるという問題がある。また、分岐部に粘着テープを巻き付ける際に電線束を電線保持具から取り出すため、粘着テープを巻き付ける分岐位置にずれが発生しやすく、分岐部の位置精度が低下するという問題もある。
【０００３】
そこで、本出願人は、テープ巻きに代えて汎用の結束バンドで分岐部を結束固定する分岐部結束方法を特開２００５−２７４６３号（特許文献１）で提供している。この結束方法では、図９（Ａ）（Ｂ）に示すように、先ずワイヤハーネスの組立作業台１上に立設した電線保持具２を通して電線を布線し、この電線保持具２の上部に設けた電線保持棒２ａ、２ｂ、２ｃの間を通して幹線Ｗａより支線ＷｂをＴ字状に分岐させている。次いで、電線束Ｗに対して、分岐部Ｐの電線束Ｗを電線保持具２から取り出さない状態で、一対の結束バンド３Ａ、３Ｂを支線Ｗｂの両側で幹線Ｗａに巻き付ける。しかる後、結束バンド３Ａ、３Ｂの先端側を交叉させ、他方の結束バンド３Ａ、３Ｂの基部に設けた係止部３ａ、３ｂにそれぞれ挿入して係止させ、電線束Ｗの分岐点Ｐに対応する位置で結束バンド３Ａ、３Ｂをたすき掛け状態に交叉させて締結している。なお、結束バンド３Ａ、３Ｂは両者の基部を一定間隔に保持するための別体の補助部材４に挿通しておくことで作業性の向上を図っている。
また、分岐点Ｐにクリップ５を固定する場合には、図９（Ｃ）に示すように、クリップ５を有する別体の補助部材６を両方の結束バンド３Ａ、３Ｂに挿通して保持させることで分岐点Ｐ付近にクリップ５を固定することができる。
【０００４】
【特許文献１】特開２００５−２７４６３号公報
【発明の開示】
【発明が解決しようとする課題】
【０００５】
上記のように、図９（Ａ）（Ｂ）に示す方法によれば、電線保持具２に保持された状態の電線束Ｗの分岐点Ｐに対し、その保持状態を維持しつつ汎用の結束バンド３Ａ、３Ｂを用いて結束することができる。しかしながら、分岐点Ｐに対し結束バンド３Ａ、３Ｂを巻回するには電線保持棒２ａ、２ｂ、２ｃを巻き込まないように注意しながら電線保持棒２ａ、２ｂ、２ｃの内側で巻き付け作業をする必要があり、支線Ｗｂを中心方向に寄せて結束バンド３Ａ、３Ｂを挿入するスペースを確保しながらの作業になるため、その作業手順が複雑となり、更に締め付け位置の高精度の位置決めも困難である等の問題がある。
また、Ｔ字状の分岐形態においては、支線Ｗｂの基部が膨らむと、車体へのワイヤハーネスの取付時に他部材に干渉したり、配索される電線に余長が生じたりするため、支線Ｗｂの基部両側に近接した位置を結束バンド３Ａ、３Ｂで結束するのが好ましい。このため、従来例においては、補助部材４を用いて結束作業時における結束バンド３Ａ、３Ｂの間隔位置が拡がらないようにしているが、別部材を要するためコスト高になると共に、結束バンド３Ａ、３Ｂを予め補助部材４に挿通しておかなければならないという問題がある。
更に、図９（Ｃ）に示す方法によれば、分岐点Ｐ付近にクリップ５を取り付けることもできるが、この場合、別体の補助部品６を別途必要とすると共に、分岐点Ｐの中心位置にクリップ５を取り付けることができれば、ワイヤハーネスを車体へ取り付ける場合、少ないポイントでワイヤハーネスを安定良く固定することが可能となるが、上記方法ではクリップ５の取付位置の位置決め手段がないので、分岐点に正確に合致する位置にクリップを取り付けるのが困難であるという問題がある。
【０００６】
本発明は上記した問題に鑑みてなされたもので、熟練を要することなく簡易な操作により電線保持具に保持された状態における略Ｔ字状の分岐部に対し、汎用の結束バンドとクリップを用いて所定の結束位置に対し高精度に位置決めされた状態で結束可能な分岐用電線保持具および分岐部を有するワイヤハーネスの製造方法を提供することを課題としている。
【課題を解決するための手段】
【０００７】
上記課題を解決するため、本発明では、幹線の途中から該幹線に対し略直角方向に支線を分岐させることで略Ｔ字状に分岐する分岐部の電線束を保持するための電線受部と、該電線受部をワイヤハーネスの組立作業台上に立設するための支柱とからなる分岐用電線保持具であって、
前記電線受部は分岐点における前記支線の両側にそれぞれ配置した支線側腕部と、幹線を挟んで前記支線側腕部に対向して配置した幹線側腕部とを備え、該幹線側腕部と前記各支線側腕部との間の隙間部分を分岐部における幹線支持部とすると共に前記支線腕部間の隙間部分を支線支持部とし、前記幹線側腕部には幹線支持部に支持される幹線の側面に固定すべきクリップを嵌合保持可能なクリップ保持部を設け、該クリップ保持部から前記各支線側腕部の内面にわたって結束バンドをＵ字状に屈曲しながら案内する案内溝をそれぞれ形成し、該案内溝は前記幹線支持部に支持される幹線の電線束に干渉しないように幹線の下方を通過すると共に、前記クリッブ部に保持すべきクリップの挿通孔を通過する案内軌道に沿って形成していることを特徴とする分岐用電線保持具を提供している。
【０００８】
このようにすれば、電線受部の各腕部間の支持部によって略Ｔ字状の分岐形態に保持された電線束に対し、幹線の所定位置に取り付けるべきクリップを配置して位置決めしておくことができ、このクリップの挿通孔から各支線側腕部の案内溝の軌道に沿って結束バンドを挿入するのみで、クリップの挿通孔を通した状態で各結束バンドを配置することができる。よって、各結束バンドを締め付けると同時にクリップを分岐点の所定位置に対し精度よく位置決め固定することができる。
【０００９】
また、前記クリップ保持部は前記幹線支持部に支持される幹線の取り出し方向に対応する方向に沿ってクリップを着脱可能に案内するガイド部を備えている。
このように構成すれば、クリップをガイド部に沿って装着するのみで、クリップを取付けるべき所定位置に対しクリップを精度良く嵌合保持しておくことができると共に、結束バンドによる締め付け固定後の電線束の取り出し時には、電線束に固定されたクリップを電線束と共に円滑に電線受部から取り外すことができる。
【００１０】
また、前記クリップ保持部は前記幹線支持部に支持される幹線に対し前記クリップを所定位置に固定するためにクリップにおける皿部の両側部および下部の位置を規制する位置決め部を備えている。
このようにすれば、クリップにおける皿部に対し幅方向と高さ方向の位置決め固定がなされるため、作業中におけるクリップの位置ズレを防止して、クリップの位置決め精度を向上することができる。
【００１１】
また、他の発明では、前記分岐用電線保持具を用いて、分岐部を有するワイヤハーネスを製造するに際し、前記クリップ保持部にクリップを嵌合保持した後、前記電線受部の幹線支持部に沿って電線を布線すると共に、布線される電線の一部を支線支持部側へ分岐させるようにして略Ｔ字状の分岐部を構成し、
次いで、クリップ保持部に保持されたクリップの挿通孔に結束バンドの先端側を挿入すると共に、前記案内溝に沿って一方の支線側腕部へ向けて順次挿入し、該支線側腕部から突出した結束バンドの先端部を基端部の係止部に挿通して締め付け、同様に他の結束バンドを前記クリップの挿通孔から他方の支線側腕部へ向けて順次挿入し、該支線側腕部から突出した結束バンドの先端部を基端部の係止部に挿通して締め付けることで略Ｔ字状の分岐部における幹線に対し各結束バンドを前記クリップに向けて略Ｖ字状に締め付け固定すると共に、前記幹線の側面部に前記クリップを固定するようにしたことを特徴とする分岐部を有するワイヤハーネスの製造方法を提供している。
【００１２】
このようにすれば、幹線側腕部に設けたクリップ保持部に予めクリップを嵌合配置しておくのみで、配置されたクリップの挿通孔を通して布線された支線の両側に配置された各支線側腕部に対し、案内溝に沿って結束バンドを挿通して締め付け操作すると同時に電線受部に保持された電線束の分岐点に対し精度良くクリップを位置決め固定することができる。また、結束バンドは略Ｔ字状の分岐部に対し、クリップを中心とした略Ｖ字状に締め付け固定されるため、略Ｔ字状の分岐形態が膨らんだり、クリップがズレたりすることがない。よって、電線受部に電線束を保持した状態のまま分岐部の所要位置に対しクリップおよび結束バンドを容易かつ確実に締め付け固定することができる。
【発明の効果】
【００１３】
以上の説明より明らかなように、本発明の分岐用電線保持具によれば、ワイヤハーネスの分岐部として電線受部に、略Ｔ字状の分岐形態で保持された電線束に対し、汎用のクリップを所定位置に位置決めした状態で、分岐部の結束とクリップの固定を兼ねた結束バンドを所定の軌道に沿って案内することができる。よって、電線保持具から電線束を取り外すことなく、かつ汎用のクリップおよび結束バンドを用いて、簡易な操作により分岐部に対しクリップおよび結束バンドを正確に配置することができる。
また、分岐部を有するワイヤハーネスの製造方法によれば、略Ｔ字状に支持された分岐部に対し、結束バンドによる締め付けと同時にクリップを幹線の所定位置に正確に位置決め固定することができると共に、その作業性を向上することができる。
【発明を実施するための最良の形態】
【００１４】
以下、本発明の実施形態を図面を参照して説明する。
図１〜図８は分岐用の電線保持具の実施形態を示し、この電線保持具１０は、ワイヤハーネスの組立工程において、幹線Ｗａの途中からこの幹線Ｗａに対し略直角方向に支線Ｗｂを分岐させることで略Ｔ字状に分岐する電線束の分岐部Ａを保持すると共に、分岐部Ａの幹線Ｗａに結束される結束バンドＢ１、Ｂ２とクリップＣを配置するために用いられる。電線保持具１０は、布線される電線束を受け入れて保持する合成樹脂製の電線受部１１を上端に備えた金属製の支柱１２と、この支柱１２をワイヤハーネスの組立作業台Ｔの所定位置に取付固定するためのボルト・ナットからなる取付部１８とから構成している。
【００１５】
電線受部１１は、ワイヤハーネスの分岐部Ａに布線される電線束を所要方向に案内するために分岐点Ｐに対応する基部１１ａの中心位置に対し支線Ｗｂ側に偏在すると共に布線される支線Ｗｂの両側に立設して配置される２本の支線側腕部１３Ａ、１３Ｂと、布線される幹線Ｗａを挟んで各支線側腕部１３Ａ、１３Ｂに対向する位置に立設して配置される幹線側腕部１３Ｃとを備えている。そして、対向する支線側腕部１３Ａ、１３Ｂと幹線側腕部１３Ｃとの間によって構成される溝状の隙間部分を、分岐部Ａにおいて布線される幹線Ｗａを受け入れて支持する幹線支持部１４Ａ、１４Ｂとすると共に、支線側腕部１３Ａ、１３Ｂの間によって構成される溝状の隙間部分を支線支持部１４Ｃとしている。幹線側腕部１３Ｃは幅広に形成され、その中央部にはクリップＣを嵌合保持するためのクリップ保持部２０を設けている。
【００１６】
これら幹線支持部１４Ａ、１４Ｂ、支線支持部１４Ｃの基端部１４ａ、１４ｂ、１４ｃは、布線される幹線Ｗａおよび支線Ｗｂの高さ方向の支持位置を規制する部分としている。なお、電線受部１１は支柱１２に対し着脱して各種形状のものに対応することができるように支柱１２の上端に形成した雄ネジ部１２ａに対応する雌ネジ部１５を備えている。
【００１７】
ここで、本発明で用いられる汎用のクリップＣは、図３（Ａ）〜（Ｃ）に示すように、後述の結束バンドＢ１、Ｂ２が重ねて挿通される挿通孔Ｃａを形成した台部Ｃｂと、車体の係止孔に嵌合して係止するための係止爪Ｃｃが突設された固定部Ｃｄと、台部Ｃｂと固定部Ｃｄとの中間部に形成された皿部Ｃｅとから構成されている。また、汎用の結束バンドＢ１、Ｂ２は、図４（Ａ）〜（Ｃ）に示すように、ワイヤハーネスの分岐部Ａにおける幹線Ｗａの外周対し、支線Ｗｂの基部両側からクリップＣの取付位置に向かって略Ｖ字状に結束するのに十分な長さのバンド本体部Ｂａと、一端に設けた係止部Ｂｂとからなっている。バンド本体部Ｂａの内面には係止部Ｂｂの係止爪Ｂｃに係止してラッチ機構を構成するための係止溝Ｂｄを備えている。
【００１８】
クリップ保持部２０は、図２（Ａ）〜（Ｃ）に示すように、幹線側腕部１３Ｃの中央部に形成され、上下方向、即ち電線受部１１に対する電線束の着脱方向に対応する方向に対応してクリップＣを着脱可能とするとガイド部２１と、所定位置にクリップＣを位置決めして保持する位置決め部２２とから構成している。ガイド部２１は、幹線側腕部１３Ｃの中央上端部から下方の基部へ向かって開口した開口部２１ａからなっている。開口部２１ａはクリップＣの台部Ｃｂと固定部Ｃｄの幅寸法に対応して案内可能な幅に設定している。この開口部２１ａは、クリップ保持部２０に保持されたクリップＣの挿通孔Ｃａに対し、結束バンドＢ１、Ｂ２の先端を挿通する際の作業用の開口としての機能も有している。開口部２１ａの両側面にはクリップＣの皿部Ｃｅの幅および厚さに対応して皿部Ｃｅを内外両側から挟持状に上下スライド可能に案内するためのガイド溝２１ｂを形成すると共に、ガイド溝２１ｂの外面側にはクリップＣを下部に保持するに充分な領域を残して上端から略半分の領域にわたって開口させることで窓部２１ｃを形成している。この窓部２１ｃを形成した領域ではクリップＣの皿部Ｃｅは、外方側の保持がフリーとなってクリップＣのガイド溝２１ｂへの装着に際し操作性を向上させることができる。
【００１９】
位置決め部２２は、クリップ保持部２０に保持されたクリップＣを幹線Ｗａの側面に対する中心位置に位置決めするため、開口部２１ａの下端において両側のガイド溝２１ｂに継続して形成されクリップＣの皿部Ｃｅの下部側を当接支持して上下方向の位置を規制する段部２２ａと、幅方向の位置を規制するガイド溝２１ｂとから構成している。
【００２０】
支線側腕部１３Ａ、１３Ｂと幹線側腕部１３Ｃの内面部には、クリップ保持部２０の下方から各支線側腕部１３Ａ、１３Ｂの内面にわたって結束バンドＢ１、Ｂ２をＵ字状に屈曲しながら案内する案内溝１６ａ、１６ｂをそれぞれ形成している。この案内溝１６ａ、１６ｂはクリップ保持部２０に保持されたクリップＣの挿通孔Ｃａを起点として両側の支線側腕部１３Ａ、１３Ｂに向けて結束バンドＢ１、Ｂ２を平面視略Ｖ字状に案内するようにしている。案内溝１６ａ、１６ｂは、案内すべき結束バンドＢ１、Ｂ２の幅寸法に略対応すると共に厚さ寸法より深く形成した断面凹状に形成している。
【００２１】
また、案内溝１６ａ、１６ｂは電線保持具１０に保持された幹線Ｗａおよび支線Ｗｂの外周に干渉することがないように、その外周より外側下方を通過する軌道に沿って形成されている。即ち、幹線Ｗａおよび支線Ｗｂを支持する幹線支持部１４Ａ、１４Ｂおよび支線支持部１４Ｃの基端部１４ａ、１４ｂ、１４ｃの高さ位置より、結束バンドＢ１、Ｂ２の案内溝１６ａ、１６ｂの下端位置が下方になる寸法設定としている。
案内溝１６ａ、１６ｂが形成された各支線側腕部１３Ａ、１３Ｂは、図２（Ａ）に示すように、平面から見て案内溝１６ａ、１６ｂの案内軌道が幹線側腕部１３Ｃのクリップ保持部２０の中心に向かって略Ｖ字状となるように内方へ傾斜した状態で配置されている。このように配置することで、分岐部Ａに結束バンドＢ１、Ｂ２を締め付けるに際し、各結束バンドＢ１、Ｂ２が幹線Ｗａから支線Ｗｂへの屈曲ポイントに対し食い込むように案内することができ、これによりクリップＣを中心とする略Ｖ字状の安定した締め付け状態を確保することができる。
【００２２】
次に、上記構成からなる電線保持具１０を用いて略Ｔ字状の３方向に分岐する分岐部Ａを有するワイヤハーネスの製造工程について説明する。
先ず、ワイヤハーネスの組立作業台Ｔ上の布線経路に沿って立設されたＵ字状の通常の電線受具(図示せず）に沿って電線を布線するに際し、分岐点Ｐに対応する位置には、分岐用の電線保持具１０を立設しておき、図５（Ａ）（Ｂ）に示すように、電線受部１１のクリップ保持部２０に対し、クリップＣを台部Ｃｂが内側、固定部Ｃｄが外側を向き、挿通孔Ｃａが上下方向を向くようにして装着する。その際、クリップＣの台部Ｃｂをガイド部２１の開口部２１ａに挿入すると共に、皿部Ｃｅを窓部２１ｃ側からガイド溝２１ｂに沿わせるようにして上端部から下方の位置決め部２２へ向かってクリップＣを挿入する。すると、クリップＣは窓部２１ｃを通過した途中位置から皿部Ｃｅの両端部の内外両面と両側面が挟持された状態で保持されながら更に下方へ移動し、位置決め部２２の段部２２ａに皿部Ｃｅの下部が当接した時点で所定位置に嵌合保持される。
【００２３】
そして、図６（Ａ）（Ｂ）に示すように、幹線Ｗａを幹線支持部１４Ａ、１４Ｂにわたって係止するようにして直線方向に布線すると共に、幹線Ｗａから分岐すべき支線Ｗｂを分岐点Ｐにおいて幹線Ｗａに対し略直角方向に向けて布線し、支線支持部１４Ｃにそれぞれ係止する。このようにして、幹線Ｗａに対し支線Ｗｂが略Ｔ字状に分岐する分岐部Ａが構成される。
【００２４】
次いで、図７（Ａ）に示すように、クリップ保持部２０に保持されたクリップＣの挿通孔Ｃａに一方の結束バンドＢ１の先端側を挿入すると共に、案内溝１６ａに沿って一方の支線側腕部１３Ａへ向けて結束バンドＢ１を順次挿入する。次いで、図７（Ｂ）に示すように、支線側腕部１３Ａの上端部から突出した結束バンドＢ１の先端部を、図８（Ａ）に示すように、基端部の係止部Ｂｂに挿通して締め付け固定する。次いで、同様に他の結束バンドＢ２をクリップＣの挿通孔Ｃａを通して他方の支線側腕部１３Ｂへ向けて順次挿入し、突出した先端部を係止部Ｂｂに挿入して締め付け固定する。なお、締め付けた結束バンドＢ１、Ｂ２は、必要に応じて引張り切断用の工具を用いて更に締め付けを強化すると共に、余剰の先端部を切断処理している。このようにして、図８（Ｂ）に示すように、分岐部Ａの幹線Ｗａに対し支線Ｗｂの両側から中心位置に配置したクリップＣの挿通孔Ｃａに向けて略Ｖ字状に結束バンドＢ１、Ｂ２を締め付け固定すると同時に、クリップＣを幹線Ｗａの側面中央部の所定位置に精度良く取付けることができる。このため、結束バンドＢ１の締め付けによって、支線Ｗｂの基部の膨らみを抑えて設計通りの分岐経路とすることができ、車体への取付時における他部材との干渉およびワイヤハーネスを構成する電線に余長が発生するのを防止できる。また、電線保持具１０から幹線Ｗａおよび支線Ｗｂを持ち上げることなく、幹線支持部１４Ａ、１４Ｂおよび支線支持部１４Ｃに支持させた状態で分岐部Ａに対し結束バンドＢ１、Ｂ２を定位置に配置して締め付け操作することができる。
【００２５】
以上のように、分岐用の電線保持具１０を用いることで、汎用のクリップＣおよび結束バンドＢ１、Ｂ２を用い、かつ、それぞれの結束バンドＢ１、Ｂ２の独立した通常の締め付け操作により分岐部Ａを構成する幹線Ｗａに対し、結束バンドＢ１、Ｂ２を締め付けて分岐部Ａの形態を整えると同時に幹線Ｗａの側面中央部の所定位置にクリップＣを固定することができる。更に、結束バンドＢ１、Ｂ２による締め付け操作までの間、電線保持具１０に布線された幹線Ｗａおよび支線Ｗｂは、幹線支持部１４Ａ、１４Ｂおよび支線支持部１４Ｃに支持したままで、持ち上げる必要がないので、電線束が引っ張られることによる分岐点Ｐの位置ズレを生じることもなく、簡易な操作により分岐点Ｐに対する位置決め精度のよい分岐部Ａを有するワイヤハーネスを製造することができる。
また、ワイヤハーネスの組立完了に伴う電線受部１１からの電線束の取り出しに際しては、電線保持具１０の立設方向に沿った上方への取り出し操作に追随してクリップＣをガイド溝２１ｂに沿って無理なくクリップ保持部２０から取り外すことができる。
【００２６】
なお、上記実施形態において電線受部の材質としては、結束バンドの挿入操作時の滑りのよい合成樹脂製を用いた例を示したが、金属製等他の材質を用いてもよい。上記実施形態では、２本の結束バンドを案内溝１６ａ、１６ｂに対し１本ずつ挿入して締め付け固定する手順を示したが、２本を各腕部に挿入してからそれぞれの締め付け操作を行うようにしてもよい。また、上記実施形態では電線受部を支柱に対し着脱交換可能な例を示したが、一体のものであってもよい。
【図面の簡単な説明】
【００２７】
【図１】本発明の分岐用電線保持具の実施形態の斜視図である。
【図２】（Ａ）は電線受部の平面図、（Ｂ）は正面図、（Ｃ）はＸ−Ｘ断面図である。
【図３】結束バンドと共に用いるクリップを示し、（Ａ）は正面図、（Ｂ）は側面図、（Ｃ）は結束バンドを挿通した状態の平面図である。
【図４】（Ａ）は結束バンドの正面図、（Ｂ）は側面図である。
【図５】分岐部を有するワイヤハーネスの製造方法を示し、（Ａ）は電線受部のクリップ保持部にクリップを保持した状態の正面図、（Ｂ）は平面図である。
【図６】電線受部への幹線および支線の布線工程を示し、（Ａ）は正面図、（Ｂ）は平面図である。
【図７】（Ａ）（Ｂ）は結束バンドを用いた結束工程を示す断面図である。
【図８】（Ａ）は結束バンドを用いた締め付け操作を示す断面図、（Ｂ）は分岐部に対し結束バンドを略Ｖ字状に締め付け固定した状態の平面図を示している。
【図９】（Ａ）〜（Ｃ）は従来例を示す図である。
【符号の説明】
【００２８】
１０  電線保持具
１１  電線受部
１２  支柱
１３Ａ、１３Ｂ  支線側腕部
１３Ｃ  幹線側腕部
１４Ａ、１４Ｂ  幹線支持部
１４Ｃ  支線支持部
１６ａ、１６ｂ  案内溝
２０クリップ保持部
２１  ガイド部
２１ｂ  ガイド溝
２２  位置決め部
Ａ  分岐部
Ｂ１、Ｂ２  結束バンド
Ｂｂ  係止部
Ｃ  クリップ
Ｃａ  挿通孔
Ｃｅ  皿部
Ｗａ  幹線
Ｗｂ  支線
Ｐ  分岐点
【図１】
0004770414.tif 000002
【図２】
0004770414.tif 000003
【図３】
0004770414.tif 000004
【図４】
0004770414.tif 000005
【図５】
0004770414.tif 000006
【図６】
0004770414.tif 000007
【図７】
0004770414.tif 000008
【図８】
0004770414.tif 000009
【図９】
0004770414.tif 000010